(57)【要約】【課題】構造が簡単でコンパクト且つ安価に形成することができ、しかも簡便に使用可能で皮膚に対して適度な振動と摩擦を与えて、脂肪の塊であるセルライト解消にも役立ち、優れた美容効果を発揮することができる振動按摩器を提供すること。【解決手段】内部に空間を有する外殻体と、該外殻体の内部に配設された振動体及び該振動体を振動させるための駆動部を備えてなり、前記外殻体はその一面側に貫通孔を有するとともに、前記振動体は該貫通孔から突出する突出部を有してなることを特徴とする振動按摩器とする。【選択図】  図２
2004344339.tif 000002
【特許請求の範囲】
【請求項１】
内部に空間を有する外殻体と、該外殻体に振動を与えるための振動体と、該振動体により付与される振動によって身体に摩擦を与える摩擦体とを備えてなり、前記外殻体はその一面側に貫通孔を有するとともに、前記摩擦体は該貫通孔から突出する突出部を有してなることを特徴とする振動按摩器。
【請求項２】
前記振動体は、モータと、該モータの回転軸に偏心して取り付けられた振り子体とからなることを特徴とする請求項１記載の振動按摩器。
【請求項３】
前記振動体が２つ設けられ、これら振動体はそのモータ回転軸が逆方向に向けて延出するように配設されていることを特徴とする請求項２記載の振動按摩器。
【請求項４】
前記摩擦体の突出部に対して嵌着可能な複数の摩擦部材を有し、これら複数の摩擦部材はそれぞれ異なる形状の突起を表面に有してなることを特徴とする請求項１乃至３いずれかに記載の振動按摩器。
【請求項５】
前記外殻体の内部には光源が設けられるとともに、前記摩擦体には遠赤外線放射物質が包含されてなることを特徴とする請求項１乃至４いずれかに記載の振動按摩器。
【請求項６】
前記モータの回転数を一定とする動作モードと、回転数を変化させる動作モードとを切換可能な切換スイッチが設けられてなることを特徴とする請求項２乃至５いずれかに記載の振動按摩器。
【請求項７】
前記外殻体の他面側には粗面部が設けられてなることを特徴とする請求項１乃至６いずれかに記載の振動按摩器。
【発明の詳細な説明】
【０００１】
【発明の属する技術分野】
本発明は振動按摩器に関し、より詳しくは、構造が簡単でコンパクト且つ安価に形成することができ、しかも簡便に使用可能で皮膚に対して適度な振動と摩擦を与えて優れた美容効果を得ることができる振動按摩器に関する。
【０００２】
【従来の技術】
身体の凝りをほぐすための按摩は、従来は人が手の指や手の平を使って行われていたが、より効率良くマッサージ効果を得るために器具が使用されることも多くなってきた。
既存の按摩器としては、使用者が手で持って身体に押し付けることにより使用する手動式のもの（例えば、特許文献１参照）と、振動発生器等が取り付けられた電気駆動式のもの（例えば、特許文献２参照）のものが存在している。
【０００３】
【特許文献１】
特開２００３−３３４２１号公報
【特許文献２】
特開平１１−１４６９０１号公報
【０００４】
【発明が解決しようとする課題】
しかしながら、手動式の按摩器は、長時間使用すると疲れてしまい、しかも得られるマッサージ効果も充分とはいえないという問題があった。一方、既存の電動式の按摩器は、大型なものや構造が複雑なものが多く、比較的高価である上に手軽に持ち運んで様々な場所で使用するといったことはできなかった。
【０００５】
本発明はこのような従来技術のもつ課題を解決すべくなされたものであって、構造が簡単でコンパクト且つ安価に形成することができ、しかも簡便に使用可能で皮膚に対して適度な振動と摩擦を与えて、脂肪の塊であるセルライト解消にも役立ち、優れた美容効果を発揮することができる振動按摩器を提供せんとするものである。
【０００６】
【課題を解決するための手段】
本発明は上記課題を解決するために以下の手段を採用した。
請求項１に係る発明は、内部に空間を有する外殻体と、該外殻体の内部に配設された振動体及び該振動体を振動させるための駆動部を備えてなり、前記外殻体はその一面側に貫通孔を有するとともに、前記振動体は該貫通孔から突出する突出部を有してなることを特徴とする振動按摩器に関する。
請求項２に係る発明は、前記駆動部はモータと、該モータの回転軸に偏心して取り付けられた振り子体とからなることを特徴とする請求項１記載の振動按摩器に関する。
請求項３に係る発明は、前記駆動部が２つ設けられ、これら駆動部はそのモータ回転軸が逆方向に向けて延出するように配設されていることを特徴とする請求項２記載の振動按摩器に関する。
請求項４に係る発明は、前記摩擦体の突出部に対して嵌着可能な複数の摩擦部材を有し、これら複数の摩擦部材はそれぞれ異なる形状の突起を表面に有してなることを特徴とする請求項１乃至３いずれかに記載の振動按摩器に関する。
請求項５に係る発明は、前記外殻体の内部には光源が設けられるとともに、前記摩擦体には遠赤外線放射物質が包含されてなることを特徴とする請求項１乃至４いずれかに記載の振動按摩器に関する。
請求項６に係る発明は、前記モータの回転数を一定とする動作モードと、回転数を変化させる動作モードとを切換可能な切換スイッチが設けられてなることを特徴とする請求項２乃至５いずれかに記載の振動按摩器に関する。
請求項７に係る発明は、前記外殻体の他面側には粗面部が設けられてなることを特徴とする請求項１乃至６いずれかに記載の振動按摩器に関する。
【０００７】
【発明の実施の形態】
以下、本発明に係る振動按摩器の好適な実施形態について、図面を参照しつつ説明する。
図１は本発明に係る振動按摩器を表面側から見た外観斜視図、図２は本発明に係る振動按摩器を裏面側から見た外観斜視図、図３は本発明に係る振動按摩器の分解斜視図、図４は図１のＡ−Ａ線断面図、図５は図１のＢ−Ｂ線断面図である。
【０００８】
本発明に係る振動按摩器は、内部に空間を有する外殻体（１）と、この外殻体に振動を与えるための振動体（２）と、この振動体（２）により付与される振動によって身体に摩擦を与える摩擦体（３）を備えている。
外殻体（１）は、表面側外殻体（１ａ）と裏面側外殻体（１ｂ）の２つの部材から構成されており、これらが組み合わされて一体化されることによって、内部に空間を有する外殻体（１）が形成されている。
また、外殻体（１）の表面側には、粗面部（１８）が設けられている。
【０００９】
外殻体（１）の正面視形状は、縦長楕円形の左右両側面が均等に凹んだ略繭形を呈しており、凹んだ部分には波形の凹凸部（４）が形成されている。
外殻体（１）がこのような形状とされていることで、使用者は凹凸部（４）に指を沿わせて把持することができ、振動按摩器を容易にしっかりと保持して使用することができる。
【００１０】
外殻体（１）の裏面側には、複数の貫通孔（５）が形成されている。
これらの貫通孔（５）は、図２及び図３に示す如く、外殻体（１）の幅方向に延びるように互いに平行に４つ形成され、下向きに僅かに円弧状に湾曲する略長方形状の形状を有している。
【００１１】
振動体（２）は、外殻体（１）の内部に固定配置された２つのモータ（６）と、これらモータ（６）の回転軸（６１）に偏心して取り付けられた振り子体（７）とから構成されている。
これによって、モータ（６）が駆動されると、モータの回転軸の回転に伴って振り子体（７）も回転するが、このとき振り子体（７）が回転軸に偏心して取り付けられていることによって振動が生じ、この振動が外殻体（１）へと伝達される。
２つのモータ（６）の回転軸は、外殻体（１）の幅方向に延びるように互いに平行に且つ互いに逆方向に向けて延出されており、これによって発生した振動を外殻体（１）の全体に亘って均等に分散させることが可能となり、安定した振動が得られる。
【００１２】
摩擦体（３）は、平板状部（３１）と、この平板状部（３１）の一面側から突出された複数の突出部（３２）を有している。
突出部（３２）は、外殻体（１）の幅方向に延びるように互いに平行に形成された４つの板状の部材であり、下向きに僅かに円弧状に湾曲して形成されている。
また、突出部（３２）は平板状部（３１）に対して垂直ではなく、僅かに下向きに傾斜して突出されている（図３参照）。
摩擦体（３）の平板状部（３１）は外殻体（１）内に配置固定され、突出部（３２）は外殻体（１）に形成された貫通孔（５）からそれぞれ突出している。
【００１３】
前述した振動体（２）により発生する振動は、この摩擦体（３）にも伝達されるので、摩擦体（３）の突出部（３２）を身体表面に接触させながら動かすことで、優れたマッサージ効果が得られる。
【００１４】
摩擦体（３）は合成樹脂等の硬質部材からなり、その内部には遠赤外線放射物質が包含されている。
遠赤外線放射物質としては、例えば、アルミナ、チタニア、ジルコニア、シリカ等を主成分とする遠赤外線放射セラミックスが好適に用いられるが、特にこれらに限定されるものではない。
【００１５】
外殻体（１）の内部には、ＬＥＤ等からなる発光源（９）が取り付けられた光源板（８）が配設されており、外部電源からの電力供給によってこの発光源（９）を発光させることによって摩擦体（３）に包含された遠赤外線放射物質が加熱されて遠赤外線が放射される。
これによって、使用者の身体に対して、振動による揉みほぐしの効果と同時に遠赤外線放射による血行促進効果を与えることが可能となり、極めて優れたマッサージ効果を得ることができる。
【００１６】
また、本発明に係る振動摩擦器は、摩擦体（３）の突出部（３２）に対して嵌着可能な３つの摩擦部材を有している。これらの摩擦部材はそれぞれ異なる形状の突起を表面に有しており、その形状を以下に具体的に説明する。
【００１７】
図６は第１の摩擦部材（１０Ａ）を示す図であり、（ａ）は表面側から見た斜視図、（ｂ）は裏面側から見た斜視図である。
第１の摩擦部材（１０Ａ）は、略長方形の平板状部材であって、その表面側に４つの突出部（１１）を有している。
突出部（１１）は、摩擦部材（１０Ａ）の幅方向に延びるように互いに平行に形成された４つの板状の部材であり、その先端面には、半球状の多数の突起（１２）が形成されている。
また、突出部（１１）は、下向きに僅かに円弧状に湾曲して形成されているとともに、平板状部に対して垂直ではなく僅かに下向きに傾斜して突出されている。
【００１８】
第１の摩擦部材（１０Ａ）の裏面側には、表面側の突出部（１１）に対応する位置に４つの凹条部（１３）が設けられている。
これらの凹条部（１３）は、摩擦体（３）の突出部（３２）が嵌入可能な位置及び大きさに形成されている。
これによって、凹条部（１３）に摩擦体（３）の突出部（３２）を嵌入させることで、図７に示す如く、外殻体（１）の裏面側に第１の摩擦部材（１０Ａ）を一体的に装着することができる。
この装着状態においては、外殻体（１）の振動が摩擦体（２）を介して摩擦部材（１０Ａ）に伝達されるため、摩擦部材（１０Ａ）の突出部（１１）を身体に接触させることで、その振動を身体に伝えることができる。
このとき、突出部（１１）の先端面に半球状の多数の突起（１２）が形成されていることによって、身体に対してより強い刺激が与えられ、マッサージ効果を高めることが可能となる。
【００１９】
図８は第２の摩擦部材（１０Ｂ）を示す図であり、（ａ）は表面側から見た斜視図、（ｂ）は裏面側から見た斜視図である。
第２の摩擦部材（１０Ｂ）は、略長方形の平板状部材であって、その表面側に多数の半球状の突出部（１３）を有している。
【００２０】
第２の摩擦部材（１０Ｂ）の裏面側は全面に亘って凹んでおり、その上下（長さ方向）の両端部には長方形状に囲われた凹部（１９）が形成されており、これらの凹部（１９）に摩擦体（３）の突出部（３２）を嵌入することができるように構成されている。
また、その略中央部には合計８つの突出片（１５）が設けられており、これらの突出片（１５）は、小さい間隔をあけて設けられた２つの突出片を一対として、その間に摩擦体（３）の突出部（３２）を挟持することができるように構成されている。
【００２１】
これによって、摩擦体（３）の突出部（３２）を凹部（１９）及び突出片（１５）により保持させることで、図９に示す如く、外殻体（１）の裏面側に第２の摩擦部材（１０Ｂ）を一体的に装着することができる。
この装着状態においては、外殻体（１）の振動が摩擦体（２）を介して摩擦部材（１０Ｂ）に伝達されるため、摩擦部材（１０Ｂ）の突出部（１３）を身体に接触させることで、その振動を身体に伝えることができる。
このとき、突出部（１３）が平面状に形成された多数の半球状突起とされていることで、身体の広い部分に対して適度な刺激が与えられ、マッサージ効果を高めることが可能となる。
【００２２】
図１０は第３の摩擦部材（１０Ｃ）を示す図であり、（ａ）は表面側から見た斜視図、（ｂ）は裏面側から見た斜視図である。
第３の摩擦部材（１０Ｃ）は、略長方形の平板状部材であって、その表面側には全面に亘って多数の棒状突出部（１４）を有している。
【００２３】
第３の摩擦部材（１０Ｃ）の裏面側は、第２の摩擦部材（１０Ｂ）と同じく、全面に亘って凹んでおり、その上下（長さ方向）の両端部には長方形状に囲われた凹部（１９）が形成されており、これらの凹部（１９）に摩擦体（３）の突出部（３２）を嵌入することができるように構成されている。
また、その略中央部には合計８つの突出片（１５）が設けられており、これらの突出片（１５）は、小さい間隔をあけて設けられた２つの突出片を一対として、その間に摩擦体（３）の突出部（３２）を挟持することができるように構成されている。
【００２４】
これによって、摩擦体（３）の突出部（３２）を凹部（１３）及び突出片（１５）により保持させることで、図１１に示す如く、外殻体（１）の裏面側に第３の摩擦部材（１０Ｃ）を一体的に装着することができる。
この装着状態においては、外殻体（１）の振動が摩擦体（２）を介して摩擦部材（１０Ｃ）に伝達されるため、摩擦部材（１０Ｃ）の突出部（１４）を身体に接触させることで、その振動を身体に伝えることができる。
このとき、突出部（１４）が多数の棒状突起とされていることで、身体の広い部分に対して強い刺激が与えられ、マッサージ効果を高めることが可能となる。
【００２５】
外殻体（１）の表面上方部には、図１に示す如く、３つのスイッチ（１５ａ），（１５ｂ），（１５ｃ）が設けられている。
これらのスイッチは、振動按摩器の動作モードを切り替えるためのスイッチであり、右側から順に、「振動」、「波動」、「遠赤外線」の各モードを設定することができる。
【００２６】
図１２は、本発明に係る振動按摩器の動作モードの構成を概略的に示すブロック図である。
図示の如く、各動作モードへの切換スイッチ（１５ａ），（１５ｂ），（１５ｃ）は外部電源（１６）と接続されている。各スイッチのうち、「振動」と「波動」の各モードへの切換スイッチ（１５ａ），（１５ｂ）は、選択的に電源（１６）と接続可能とされており、「遠赤外線」モードへの切換スイッチ（１５ｃ）は独立して電源（１６）へと接続可能となっている。
【００２７】
「振動」モードへの切換スイッチ（１５ａ）は、モータ（６）と接続されており、切換スイッチ（１５ａ）をオンとすると、モータ（６）に一定量の電流を入力して、モータ（６）を一定速度（例えば３６００ｒｐｍ）で回転させる。これによって、一定の振動を発生させることができる。
「波動」モードへの切換スイッチ（１５ｂ）は、電流制御回路（１７）を介してモータ（６）と接続されており、切換スイッチ（１５ｂ）をオンとすると、電源（１６）からの電流は電流制御回路（１７）によって周期的に変化する。これによって、モータ（６）への入力電流が周期的に変化して、モータ（６）は高速（例えば３６００ｒｐｍ）から低速（例えば１８００ｒｐｍ）まで周期的に変化しながら回転する。これによって、周波数の異なる振動を繰り返し発生させることができる。
「遠赤外線」モードへの切換スイッチ（１５ｃ）は、ＬＥＤ等の光源（９）と接続されており、切換スイッチ（１５ｃ）をオンとすると、光源（９）に一定量の電流を入力して光源（９）を発光させる。これによって、遠赤外線を放射させることができる。
【００２８】
図１３は、本発明に係る振動発生器の使用方法の一例を示す図である。
本発明に係る振動発生器は、図示の如く、外殻部（１）を手で持ってその裏面側から突出した振動体（２）の突出部（３２）をマッサージが必要な箇所に押し当てることにより使用する。
このとき、振動モードと波動モードを切り替えることにより、異なる振動パターンによる刺激を身体に与えることができ、また遠赤外線モードに設定することにより、身体に遠赤外線を放射することが可能となり、血行促進効果等を高めることができる。
また、本発明に係る振動按摩器によれば、外殻体（１）に振動を与えながら、その表面側の粗面部（１８）を皮膚に擦りつけることによって、皮膚の老化した角質を効果的に取り除くことが可能となる。
【００２９】
【発明の効果】
以上説明したように、請求項１に係る発明によれば、簡易な構造によって、身体の皮膚に対して適度な摩擦と振動を与えることができて、脂肪の塊であるセルライトの解消にも役立つ、優れた美容効果を得ることができる振動按摩器を得ることができる。
請求項２に係る発明によれば、構造が簡単でコンパクト且つ安価に形成することができる振動按摩器が得られる。
請求項３に係る発明によれば、発生した振動を外殻体の全体に亘って均等に分散させることが可能となり、均一で安定した振動が得られる振動按摩器となる。
請求項４に係る発明によれば、使用者の好みや症状に合わせて摩擦部材を取り付けることで、使用者に最適なマッサージ効果を与えることができる。
請求項５に係る発明によれば、使用者の身体に遠赤外線を放射することができ、手軽に優れた治療効果が得られる。
請求項６に係る発明によれば、使用者の好みや症状に合わせて身体に与える振動パターンを選択することができ、使用者に最適なマッサージ効果を与えることができる。
請求項７に係る発明によれば、粗面部を皮膚に接触させることで、身体の皮膚に対して適度な摩擦と振動を与えて、皮膚の老化した角質を取り除いてきめ細かい肌を得ることができる。
【図面の簡単な説明】
【図１】本発明に係る振動按摩器を表面側から見た外観斜視図である。
【図２】本発明に係る振動按摩器を裏面側から見た外観斜視図である。
【図３】本発明に係る振動按摩器の分解斜視図である。
【図４】図１のＡ−Ａ線断面図である。
【図５】図１のＢ−Ｂ線断面図である。
【図６】第１の摩擦部材を示す図であり、（ａ）は表面側から見た斜視図、（ｂ）は裏面側から見た斜視図である。
【図７】外殻体の裏面側に第１の摩擦部材を一体的に装着することができる。
【図８】第２の摩擦部材を示す図であり、（ａ）は表面側から見た斜視図、（ｂ）は裏面側から見た斜視図である。
【図９】外殻体の裏面側に第２の摩擦部材を一体的に装着することができる。
【図１０】第３の摩擦部材を示す図であり、（ａ）は表面側から見た斜視図、（ｂ）は裏面側から見た斜視図である。
【図１１】外殻体の裏面側に第３の摩擦部材を一体的に装着することができる。
【図１２】本発明に係る振動按摩器の動作モードの構成を概略的に示すブロック図である。
【図１３】本発明に係る振動按摩器の使用方法の一例を示す図である。
【符号の説明】
１      外殻体
２      振動体
３      摩擦体
３２    突出部
５      貫通孔
６      モータ
７      振り子体
９      光源
１０Ａ  第１の摩擦部材
１０Ｂ  第２の摩擦部材
１０Ｃ  第３の摩擦部材
１１    突出部
１３    突出部
１４    突出部
１５ａ  切換スイッチ
１５ｂ  切換スイッチ
１５ｃ  切換スイッチ
【図１】
2004344339.tif 000003
【図２】
2004344339.tif 000004
【図３】
2004344339.tif 000005
【図４】
2004344339.tif 000006
【図５】
2004344339.tif 000007
【図６】
2004344339.tif 000008
【図７】
2004344339.tif 000009
【図８】
2004344339.tif 000010
【図９】
2004344339.tif 000011
【図１０】
2004344339.tif 000012
【図１１】
2004344339.tif 000013
【図１２】
2004344339.tif 000014
【図１３】
2004344339.tif 000015